(57)【要約】【課題】運転制御操作や運転状態確認を容易にして使い勝手をよくするとともに、操作部ケースの組み立てが簡易に行える加熱調理器を提供することを目的とする。【解決手段】外部操作により機器の運転制御および運転状態表示をする制御回路８、９を収納する操作部ケース１５を、調理器本体１の内側よりトップフレーム３に嵌着し調理器本体１の外側より締結部材２０にて固定するとともに、操作部ケース１５の締結部２１の少なくとも１つは操作部ケース１５とは別な別部材１９に設け、この別部材１９を操作部ケース１５に対して移動可能にした。これにより、運転制御操作や運転状態確認が調理器本体１の天部で行え使い勝手がよいとともに、操作部ケース１５の組み立ては、調理器本体１の内側よりトップフレーム３に嵌着して行え、しかも操作部ケース１５の締結部位置が移動可能であって位置ずれを吸収できるので、組み立てが簡易に行える。【選択図】図３
2006073424.tif 000002
【特許請求の範囲】
【請求項１】
調理器本体と、前記調理器本体の天面に被加熱調理器を載置するトッププレートと、前記トッププレートの周縁部を覆うとともに調理器本体に装着されるトップフレームと、前記トッププレートの下方に設けられた加熱部と、前記加熱部に電力を供給する電源回路と、外部操作により機器の運転制御および運転状態表示をする制御回路と、前記制御回路を収納する操作部ケースとを備え、前記操作部ケースは、前記調理器本体の内側よりトップフレームに嵌着し調理器本体の外側より締結部材にて固定するとともに、前記操作部ケースの締結部の少なくとも１つを操作部ケースとは別な別部材で構成し、この別部材を操作部ケースに対して移動可能にした加熱調理器。
【請求項２】
別部材は操作部ケースの長手方向に移動可能とした請求項１に記載の加熱調理器。
【請求項３】
別部材を操作部ケースのツメで移動自在に保持した請求項１または２に記載の加熱調理器。
【請求項４】
操作部ケースに液体受け部を設けた請求項１〜３のいずれか１項に記載の加熱調理器。
【請求項５】
操作部ケースの液体受け部を傾斜させ、液体誘導経路とした請求項４に記載の加熱調理器。
【請求項６】
液体受け部により液体を調理器本体内の高温部へ誘導する構成とした請求項４または５に記載の加熱調理器。
【請求項７】
操作部ケースは操作部カバーとでボックス構造を形成し、制御回路を収納した請求項１〜６のいずれか１項に記載の加熱調理器。
【発明の詳細な説明】
【技術分野】
【０００１】
本発明は、誘導加熱調理器などの加熱調理器に関するものである。
【背景技術】
【０００２】
従来、この種の加熱調理器は、操作部が調理器本体の前面に配され、機器の運転を制御するための信号入力部および機器の運転状態を表示する表示部などを有する制御回路を含む操作部ユニットは、ねじなどの締結手段により、調理器本体の外郭一部に、その内側から取り付けられているのが一般的であった（例えば、特許文献１参照）。
【特許文献１】特開２００２−２１３７５５号公報
【発明の開示】
【発明が解決しようとする課題】
【０００３】
しかしながら、前記従来の構成では、操作部が調理器本体の前面であるため、運転制御のためのスイッチ操作や、運転状態確認がし難く、使い勝手が良くなかった。そのため、一部には調理器本体前部に収納した操作部をスライドあるいは回転させて、その操作面を上方に向かせるものもあるが、構成が複雑になったり、使用時には調理器本体前方に大きく突出するために、操作以外の作業時に邪魔になったりするものである。また、一部には部分的な操作・表示機能を調理器本体の天面に設けたものがあるが、主たる操作・表示部は調理器本体の前方に配されているものであった。
【０００４】
また、前記従来の構成では、操作部ユニットを組み立てる際に、調理器本体を裏返して構成部品を組み込んでいくために、トップフレームの表面に傷を付け易く、外観品位が損なわれて不良品になる可能性が大きくなるものであった。また、操作部ユニットは操作の使い勝手上、調理器本体の前部長手方向に配されるため、樹脂で成型された操作部ケースの成型ばらつきや室温ばらつきによって、調理器本体の締結部との位置がずれることがあった。
【０００５】
本発明は、前記従来の課題を解決するもので、運転制御操作や運転状態確認を容易にして使い勝手をよくするとともに、操作部ケースの組み立てが簡易に行える加熱調理器を提供することを目的とする。
【課題を解決するための手段】
【０００６】
前記従来の課題を解決するために、本発明の加熱調理器は、外部操作により機器の運転制御および運転状態表示をする制御回路を収納する操作部ケースを、調理器本体の内側よりトップフレームに嵌着し調理器本体の外側より締結部材にて固定するとともに、操作部ケースの締結部の少なくとも１つを操作部ケースとは別な別部材に設け、この別部材を操作部ケースに対して移動可能にしたものである。
【０００７】
これにより、運転制御操作や運転状態確認が調理器本体の天部で行え使い勝手がよいとともに、操作部ケースの組み立ては、調理器本体の内側よりトップフレームに嵌着して行え、しかも操作部ケースの締結部位置が移動可能であって位置ずれが吸収できるので、組み立てが簡易に行えるものである。
【発明の効果】
【０００８】
本発明の加熱調理器は、運転制御操作や運転状態確認を容易にして使い勝手をよくするとともに、操作部ケースの組み立てが簡易に行える。
【発明を実施するための最良の形態】
【０００９】
第１の発明は、調理器本体と、前記調理器本体の天面に被加熱調理器を載置するトッププレートと、前記トッププレートの周縁部を覆うとともに調理器本体に装着されるトップフレームと、前記トッププレートの下方に設けられた加熱部と、前記加熱部に電力を供給する電源回路と、外部操作により機器の運転制御および運転状態表示をする制御回路と、前記制御回路を収納する操作部ケースとを備え、前記操作部ケースは、前記調理器本体の内側よりトップフレームに嵌着し調理器本体の外側より締結部材にて固定するとともに、前記操作部ケースの締結部の少なくとも１つを操作部ケースとは別な別部材に設け、この別部材を操作部ケースに対して移動可能にした加熱調理器とすることにより、運転制御操作や運転状態確認が調理器本体の天部で行え使い勝手がよいとともに、操作部ケースの組み立ては、調理器本体の内側よりトップフレームに嵌着して行え、しかも操作部ケースの締結部位置が移動可能であって位置ずれが吸収できるので、組み立てが簡易に行えるものである。
【００１０】
第２の発明は、特に、第１の発明において、別部材は操作部ケースの長手方向に移動可能としたことにより、より寸法ばらつきの大きくなる方向でずれを吸収でき、組み立てやすくなる。
【００１１】
第３の発明は、特に、第１または第２の発明において、別部材を操作部ケースのツメで移動自在に保持したことにより、遊びを持たせたまま操作部ケースは別部材を保持でき、簡単に操作部が組み立てられる。
【００１２】
第４の発明は、特に、第１〜第３のいずれか１つの発明において、操作部ケースに液体受け部を設けたことにより、外的要因によるトッププレートの変形により液体が流入した場合でも、液体受け部により液体を溜め、電気部品への滴下を防ぎ、誤動作を防ぐことができる。
【００１３】
第５の発明は、特に、第４の発明において、操作部ケースの液体受け部を傾斜させ、液体誘導経路としたことにより、外的要因によるトッププレートの変形により液体が流入した場合でも、液体受け部により液体を溜め、液体を自在に誘導でき、電気部品への滴下を防ぎ、誤動作を防ぐことができる。
【００１４】
第６の発明は、特に、第４または第５の発明において、液体受け部により液体を調理器本体内の高温部へ誘導する構成としたことにより、外的要因によるトッププレートの変形により液体が流入した場合でも、調理器本体内の例えば遮熱部材などの高温部に誘導し、流入した液体を蒸発処理させることができ、電気部品への滴下を防ぎ、誤動作を防ぐことができる。
【００１５】
第７の発明は、特に、第１〜第６のいずれか１つの発明において、操作部ケースは操作部カバーとでボックス構造を形成し、制御回路を収納したことにより、外的要因によるトッププレートの変形により液体が流入した場合でも、制御回路部へは液体が侵入し難く、誤動作を防ぐことができる。
【００１６】
以下、本発明の実施の形態について、図面を参照しながら説明する。なお、この実施の形態によって本発明が限定されるものではない。
【００１７】
（実施の形態）
図は、本発明の実施の形態における加熱調理器を示している。
【００１８】
図１は、加熱調理器として誘導加熱調理器を例示しており、これは、調理器本体１と、前記調理器本体１の天面に設けた、鍋などの被加熱調理器を載置するトッププレート２と、前記トッププレート２の周縁部を覆うとともに調理器本体１に装着されるトップフレーム３と、調理器本体１の天面、すなわちトッププレート２の前面に設けた操作部４とを備えている。前記トッププレート２は、被加熱調理器からの熱に十分耐え、かつ外観部品として見栄えのよく、腐食にも強いステンレスやホーロー処理鋼板などの金属からなっている。また、操作部４は、外部操作により機器の運転を制御するための信号入力部および機器の運転状態を表示する表示部などを有する制御回路（後記）を操作するものである。
【００１９】
また、図２に示すように、トッププレート２の下方には、これに近接して設けられた誘導加熱コイルよりなる加熱部５と、この加熱部５に高周波電力を供給する電源回路６を装備している。
【００２０】
また、図３は、操作部ユニット７の構成および調理器本体１への取り付け構成の概略を示している。
【００２１】
機器の運転制御するための信号入力部および機器の運転状態表示をする表示部などを有する第１の制御回路８および第２の制御回路９は、お互いの情報をやりとりするための第１のリード線１０によって電気的に接続されている。また、制御回路８および９は、電源回路６との情報をやりとりするための第２のリード線１１を有する。さらに、制御回路８および９にあるスイッチ１４を外部操作によって押圧する時のアクチュエータとなる第１のキートップ１２および第２のキートップ１３が制御回路８および９に取り付けられている。
【００２２】
樹脂材料からなる操作部ケース１５は、制御回路８および９を収納し、これらをねじなどの締結部材１６によって固定している。操作部ケース１５の下部を覆う操作部カバー１７は、締結部材１８で操作部ケース１５に固定されている。前記操作部ケース１５には、その一部を構成するとともに、締結部材２０で締結するボスなどの締結部２１の少なくとも１つが設けられた別部材１９を有している。別部材１９は、図４に示すように、操作部ケース１５裏面に突出形成されたツメ１５ａ、１５ｂによって保持されている。この状態において、操作部ケース１５に対し別部材１９は、長手方向に遊びを持っていて矢印方向に移動自在に係合している。すなわち、操作部ケース１５と別部材１９のお互いの距離は、この遊び分で調整可能となっている。図３、図５に示すように、上記した各部品で、操作部ユニット７が構成されており、この操作部ユニット７に操作・表示機能が集約されている。
【００２３】
次に、操作部ユニット７のトップフレーム３への固定は、操作部ケース１５を調理器本体１の内側よりトップフレーム３に嵌着した状態で、調理器本体１の外側から締結部材２０を操作部ケース１５および別部材１９の締結部２１に締め込むことによってなされるのである。したがって、運転制御操作や運転状態確認が調理器本体１の天部で行え使い勝手がよいとともに、組み立てにおいて調理器本体１を裏返しする必要がなく、トップフレーム３の表面に傷を付けることがない。また、操作部ケース１５の成型ばらつきや室温ばらつきによって、調理器本体１の締結部との位置ずれがあったとしても、操作部ケース１５の締結部２１の少なくとも１つは操作部ケース１５とは別な別部材１９に設け、この別部材１９を操作部ケース１５に対して移動可能にしているので、位置ずれは吸収できる。
【００２４】
なお、操作部ケース１５と操作部カバー１７は、液体が侵入できる継ぎ目がない状態で構成され、制御回路８および９をボックス構造で覆っている。また、操作部ケース１５には、図６に示すように、溝を有する液体受け部１５ｃを設け、この液体受け部１５ｃを傾斜面とし、液体が調理器本体１内の高温部、例えば遮熱部材などへ誘導される液体誘導経路を構成している。これにより、外的要因によるトッププレート２の変形により液体が流入した場合でも、液体受け部１５ｃにより液体を溜め、電気部品への滴下を防ぐとともに、液体を蒸発処理し、誤動作を防ぐことができる。
【００２５】
このように、本実施の形態における加熱調理器は、運転制御操作や運転状態確認が調理器本体１の天部で行え使い勝手がよいとともに、操作部ケース１５の組み立ては、調理器本体１の内側よりトップフレーム３に嵌着して行え、しかも操作部ケース１５の締結部位置が移動可能であって位置ずれが吸収できるので、組み立てが簡易に行えるものである。
【産業上の利用可能性】
【００２６】
以上のように、本発明にかかる誘導加熱調理器は、運転制御操作や運転状態確認を容易にして使い勝手をよくするとともに、操作部ケースの組み立てが簡易に行えるので、誘導加熱調理器に限らず各種の調理器に適用することができる。
【図面の簡単な説明】
【００２７】
【図１】本発明の実施の形態における加熱調理器の外観斜視図
【図２】同加熱調理器の分解斜視図
【図３】同加熱調理器の要部の分解斜視図
【図４】同加熱調理器の要部の部分分解斜視図
【図５】同加熱調理器の操作部ユニットの部分断面図
【図６】同加熱調理器の操作部ケースの斜視図
【符号の説明】
【００２８】
１  調理器本体
２  トッププレート
３  トップフレーム
４  操作部
５  加熱部
６  電源回路
７  操作部ユニット
８、９  制御回路
１５  操作部ケース
１５ａ、１５ｂ  ツメ
１６、１８、２０  締結部材
１７  操作部カバー
１９  別部材
２１  締結部
【図１】
2006073424.tif 000003
【図２】
2006073424.tif 000004
【図３】
2006073424.tif 000005
【図４】
2006073424.tif 000006
【図５】
2006073424.tif 000007
【図６】
2006073424.tif 000008